(57)【要約】【課題】外部電源を頼ることなく、設置場所を選ばずに簡単に取り付けることができると共に、メンテナンス費用も少なくてすむ流水浄化装置を提案すること。【解決手段】本発明に係る流水浄化装置は、流水中に配されて流水によって回転させられる回転羽根を具備して発電を行う発電手段と、該発電手段から供給される電圧及び/又は電流の電解作用により銀イオンを発生させる発生手段と、からなり、該発生手段からの銀イオンを流水中に混入させて殺菌及び殺藻するものであり、特に、上記の発生手段の電極の一部又は全部を上記の発電手段に使用される回転羽根とすることができる。【選択図】  図１
2005270788.tif 000002
【特許請求の範囲】
【請求項１】
流水中に配されて流水によって回転させられる回転羽根を具備して発電を行う発電手段と、
該発電手段から供給される電圧及び／又は電流の電解作用により銀イオンを発生させる発生手段と、からなり、該発生手段からの銀イオンを流水中に混入させて殺菌及び殺藻する流水浄化装置。
【請求項２】
請求項１記載の流水浄化装置において、
上記の発生手段は正負の電解極を有し、該両極を銀で構成し、且つ上記の発電手段からの電圧及び／又は電流の極性を反転する極性反転装置を具備してなる流水浄化装置。
【請求項３】
請求項１記載の浄水装置において、
上記の発電手段に交流発電装置を使用することを特徴とする流水浄化装置。
【請求項４】
請求項１乃至請求項３のいずれかに記載の流水浄化装置において、
上記の発生手段の電極の一部又は全部を上記の発電手段に使用される回転羽根とする流水浄化装置。
【発明の詳細な説明】
【技術分野】
【０００１】
本発明は、流水浄化装置に関するものであり、特に、流路に配されて外部の給電システムに頼ることなく殺菌及び殺藻ができるメンテナンス費用が少なくてすむ流水浄化装置に関するものである。
【背景技術】
【０００２】
異臭を発する塩素などの殺菌剤を用いずに水中の細菌を殺す浄化装置としては、銀イオンを発生させる浄化装置が提案されている（例えば、特許文献１を参照）。このような銀イオンを発生させる浄化装置は、電解電極を有し、電極間に直流低圧電流を供給して水中で銀イオンを発生させるものである。一方の電極の消費が偏らないように、一方を銀電極、他方を銅電極として、いずれかが陽極、いずれかが陰極となるように切り換え自在とした殺菌或いは殺藻の浄化装置が提案されている（例えば、特許文献２を参照）。
【０００３】
このような浄化装置にあっては、風呂、温泉などの循環路に取り付けられ、正極となる側で銀がイオン化して、その水中に混入し、菌及び藻を殺滅して水質の浄化を図っている。しかしながら、このような従来の浄化装置にあっては流水場所に設置したとしても、電源供給が不可欠である。電源供給を外部に求める場合にはその設置場所が困難な場合があり、浄化装置は総合的に部品点数が高くなりメンテナンスもかかり、その費用もかかる。
【特許文献１】実開昭６２−５８９２号公報
【特許文献２】特開平０４−９０８８号公報
【発明の開示】
【発明が解決しようとする課題】
【０００４】
従って、本発明は、斯かる実情に鑑み、外部電源を頼ることなく、設置場所を選ばずに簡単に取り付けることができると共に、メンテナンス費用も少なくてすむ流水浄化装置を提案することにある。
【課題を解決するための手段】
【０００５】
本発明者等は、前記の課題を解決するため、発電手段の回転羽根などを流水により回転させ、それによる電圧及び／又は電流によって銀イオン発生手段で銀をイオン化して、かかる銀イオンを流水中に混合することによって、流水中の菌及び藻を死滅させ、流水を簡単に浄化できること、特に、回転羽根などを銀イオン発生手段の電極として使用すれば、部品点数などが極めて少ない、メンテナンス費用が少なくて済む、設置容易な流水浄化装置が得られることを見出し、本発明に至ったものである。
即ち、本発明は、以下の（１）乃至（４）の手段或いは構成を特徴するものである。
【０００６】
（１）流水中に配されて流水によって回転させられる回転羽根を具備して発電を行う発電手段と、該発電手段から供給される電圧及び／又は電流の電解作用により銀イオンを発生させる発生手段と、からなり、該発生手段からの銀イオンを流水中に混入させて殺菌及び殺藻する流水浄化装置。
（２）上記の（１）記載の流水浄化装置において、上記の発生手段は正負の電解極を有し、該両極を銀で構成し、且つ上記の発電手段からの電圧及び／又は電流の極性を反転する極性反転装置を具備してなる流水浄化装置。
（３）上記の（１）記載の浄水装置において、上記の発電手段に交流発電装置を使用することを特徴とする流水浄化装置。
【０００７】
（４）上記の（１）乃至（３）のいずれかに記載の流水浄化装置において、上記の発生手段の電極の一部又は全部を上記の発電手段に使用される回転羽根とする流水浄化装置。
【発明の効果】
【０００８】
上記の流水浄化装置によれば、銀イオン発生手段の為に外部から特別に給電手段を設ける必要がなく、その設置場所に自由度がある。また極性反転装置或いは交流発電装置を具備すれば、両極での銀イオンの消費が均一化してくるので装置自体の長寿命化及びメンテナンス維持が容易となる。また、発電手段に使用する回転羽根などを銀イオン発生手段の電極にすることで、部品点数の大幅な削減による小型化を可能にすることができる。
【発明を実施するための最良の形態】
【０００９】
以下に、本発明の流水浄化装置の実施の形態について、添付図面に従って詳しく説明する。
図１は、本発明に係る流水浄化装置の第１の実施態様を示す概略断面図である。図２は、本発明に係る流水浄化装置の第２の実施態様を示す概略断面図である。図３は、本発明に係る流水浄化装置の第３の実施態様を示す概略断面図である。
【００１０】
図１に示す如く、第１の実施態様の流水浄化装置１は、流水２に配されて流水２による発電を行う発電機３と、発電機３からの電圧及び／又は電流の電解作用により銀イオンを発生させる銀イオン発生装置４とからなり、発生装置４からの銀イオンを流水２中に混入させて殺菌及び殺藻するものである。
より詳しく説明すると、流水浄化装置１は流水２に配される。ここで、流水２に配されるとは、流水浄化装置１自体を流水２の流れの中に配しても良く、また、流水２を流水浄化装置１のケーシング５の入水口５ａに流水２の供給口（図示せず）を取り付け、出水口５ｂから流水を浄化して吐出するように流水浄化装置１を設けても良い。
【００１１】
流水浄化装置１は上述したように筒状のケーシング５を有し、ケーシング５は流水２の流れに沿って設けられる。ケーシング５の両端には入水口５ａと出水口５ｂとが設けられ、流水２は入水口５ａから出水口５ｂを流通する。
発電機３は少なくとも回転羽根１１を有し、回転羽根１１は流水により回転させられる。回転羽根１１の回転によりシャフト１２が回転し、発電機３の本体で発電がなされる。かかる発電による電流は交流のままでも良く、また整流して定電圧電流として後述する銀イオン発生装置４に導電ライン１３を介して通電しても良い。
【００１２】
銀イオン発生装置４は、一対の電解極板１４、１５を有し、少なくとも１以上が銀電極板である。上述したように交流電力が発生装置４に供給される場合は、電解極板１４、１５が銀電極板であることが好ましい。この場合、各極板１４、１５からは銀がほぼ均等に電解され、その消耗が等しくなる。電解極板１４、１５は流水２中に配され、電解極板１４、１５でイオン化された銀イオンは流水２と混ざり、出水口５ａより吐出される。
【００１３】
次に、図２に示す如く、第２の実施態様の流水浄化装置２１は、第１の実施態様の流水装置１とほぼ同様な構成である。図２にあっては、第１の実施態様とほぼ同様な構成部分については、同一の符号を付してその詳しい説明を省略する。
図２に示すように、流水浄化装置２１は、上記の銀イオン発生装置４が正負の電解極板１４、１５を有し、両極板１４、１５が銀で構成される他に、上記の発電機３と銀イオン発生装置４との間には電圧及び／又は電流を極性反転する極性反転装置２２を具備している。
このような極性反転装置２２は回転羽根１１の回転動作に左右されずに適宜な反転動作により、両電極１４、１５から効率よく銀イオン化が生じるように設定することができ、上述したように両銀電極の消耗が等しくなるようにしている。
【００１４】
更に、図３に示す如く、第３の実施態様の流水浄化装置３１は、第１の実施態様の流水装置１とほぼ同様な構成である。図３にあっては、第１の実施態様とほぼ同様な構成部分については、同一の符号を付してその詳しい説明を省略する。
図３に示すように、銀イオン発生装置３２の電極は、発電機３３の一部として構成され、回転羽根３４、３５が銀電極板となっている。回転羽根３４、３５はシャフト３６に取り付けられ、シャフト３６は発電用コイル（回転子）３７と共に回転する。また、導電ライン３８、３９がそれぞれ回転羽根３４、３５と接し、且つ発電用コイル３７の端子に取り付けられている。従って、発電機３３は、銀製の回転羽根３４、３５、シャフト３６、発電用コイル３７、導電ライン３８、３９及び発電用コイル３７の外周に配される永久磁石４０とからなる。
【００１５】
このような構成にある流水浄化装置３１にあっては、流水２により、銀電極板である回転羽根３４、３５が回転させられ、かかる回転によりシャフト３６を介して発電用コイル３７が回転して発電がなされる。発電による電流は導電ラインを介して、銀イオン発生装置３２である回転羽根３４、３５に通電され、回転羽根３４、３５からは銀イオンが発生し、銀イオンは流水２に混合される。
従って、流水浄化装置３１にあっては、発電機３３と銀イオン発生装置３２とが組合わさって、部品点数の大幅な削減による小型化を可能にすることができる。
【産業上の利用可能性】
【００１６】
本発明に係る流水浄化装置は、流水を利用した発電機を具備するため、設置場所の自由度が増し、またメンテナンス費用も少なくて済み、また、銀イオン発生部における長寿命化も容易にできることから、産業上の利用可能性が高い。
【図面の簡単な説明】
【００１７】
【図１】図１は、本発明に係る流水浄化装置の第１の実施態様を示す概略断面図である。
【図２】図２は、本発明に係る流水浄化装置の第２の実施態様を示す概略断面図である。
【図３】図３は、本発明に係る流水浄化装置の第３の実施態様を示す概略断面図である。
【符号の説明】
【００１８】
１  流水浄化装置
２  流水
３  発電機
４  銀イオン発生装置
５  ケーシング
１１  回転羽根
１２  導電ライン
１４、１５  銀電極板
２２  極性反転装置
３２  銀イオン発生装置
３３  発電機
３４、３５  回転羽根（銀電極板）
３７  発電用コイル
４０  永久磁石
【図１】
2005270788.tif 000003
【図２】
2005270788.tif 000004
【図３】
2005270788.tif 000005